Podtech/llm-jp-corpus-v4-ja_patent huggingface dataset:
【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
癌に苦しむ患者における癌の化学療法のための医薬組成物であって、ここで、該医薬組成物は有効量のプラチナ配位化合物及びタキサンを含み、さらにここで、少なくとも０．１ｍｇのIFN‐γが、前記化学療法の間及び前記化学療法の完了後少なくとも３週間の間の毎週、１週間に少なくとも３回の頻度で投与される、前記医薬組成物。
【請求項２】
前記癌が卵巣癌である、請求項１に記載の医薬組成物。
【請求項３】
上記プラチナ配位化合物がカルボプラチン及びシスプラチンから成る群から選ばれる、請求項２に記載の医薬組成物。
【請求項４】
上記タキサンがパクリタキセル、ドセタキセル、及び脱酸素化されたパクリタキセルから成る群から選ばれる、請求項２に記載の医薬組成物。
【請求項５】
上記IFN-γがIFN‐γ‐1bである、請求項２に記載の医薬組成物。
【請求項６】
上記プラチナ配位化合物がカルボプラチンであり、上記タキサンがパクリタキセルであり、上記IFN-γがIFN‐γ‐1bである、請求項２に記載の医薬組成物。
【請求項７】
上記IFN-γ‐1bが、上記プラチナ配位化合物及び上記タキサンによる治療過程の間及び上記プラチナ配位化合物及び上記タキサンの最後の投与に続く３週間の間、０．１ｍｇの用量で１週間に３回皮下投与される、請求項５に記載の医薬組成物。
【請求項８】
上記パクリタキセルが、１３５ｍｇ／ｍ2〜１７５ｍｇ／ｍ2の用量で静脈内投与され、上記カルボプラチンが５のAUC〜７のAUCで静脈内投与され、そして上記IFN-γ‐1bが０．１ｍｇ〜０．２ｍｇで皮下投与される、請求項６に記載の医薬組成物。
【請求項９】
上記パクリタキセル及び上記カルボプラチンが同日に、そして最大６回まで３週間ごとに反復投与される、請求項８に記載の医薬組成物。
【請求項１０】
上記IFN‐γ‐1bが、上記カルボプラチン及び上記パクリタキセルによる治療過程の間及び上記カルボプラチン及び上記パクリタキセルの最後の投与に続く３週間の間、０．１ｍｇの用量で１週間に３回皮下投与される、請求項９に記載の医薬組成物。
【請求項１１】
キットであって、以下の：滅菌水中、０．１ｍｇのIFN‐γ‐1bあたり、２０ｍｇのマンニトール、０．３６ｍｇのコハク酸ナトリウム及び０．０５ｍｇのポリソルベート２０中に製剤された、上記IFN-γ‐1bを含むバイアル；及びパクリタキセルおよびカルボプラチンを用いた化学療法と併用して卵巣癌を治療するために、少なくとも０．１ｍｇのIFN‐γを、前記化学療法の間及び前記化学療法の完了後少なくとも３週間の間の毎週、１週間に少なくとも３回の頻度で投与することによる、上記IFN-γ‐1bの投与のための指示書を含む、前記キット。
【請求項１２】
バイアル入りのパクリタキセルおよびバイアル入りのカルボプラチンをさらに含む、請求項１１に記載のキット。
【請求項１３】
キットであって、以下の：IFN‐γ‐1bを含むバイアル；及び、有効量のプラチナ配位化合物及びタキサンを使用する化学療法と併用して癌を治療するために、少なくとも０．１ｍｇのIFN‐γを、前記化学療法の間及び前記化学療法の完了後少なくとも３週間の間の毎週、１週間に少なくとも３回の頻度で投与することによる、上記IFN‐γ‐1bの投与のための指示書を含む、前記キット。
【請求項１４】
上記プラチナ配位化合物がカルボプラチン及びシスプラチンから成る群から選ばれる、請求項１３に記載のキット。
【請求項１５】
上記タキサンがパクリタキセル、ドセタキセル、及び脱酸素化されたパクリタキセルから成る群から選ばれる、請求項１３に記載のキット。
【請求項１６】
上記IFN‐γ‐1bがマンニトール、コハク酸ナトリウム、及びポリソルベート中に製剤される、請求項１３に記載のキット。
【手続補正書】
【提出日】平成17年6月30日(2005.6.30)
【手続補正１】
【補正対象書類名】特許請求の範囲
【補正対象項目名】全文
【補正方法】変更
【補正の内容】
【特許請求の範囲】
【請求項１】
細胞毒性剤を投与される患者に投与するためのスラミンの治療的な有効量を決定するための方法であって、
前記患者の性別、前記患者の体表面積（ＢＳＡ）の２乗、及び最後のスラミン治療からの経過日数に基づいて用量を示すノモグラムを用いて、低用量スラミンの用量を計算する過程であって、
前記ノモグラムが、下表を含み、
【表７】
2005508322.tif 000001
前記用量が、以下の式
【数１５】
2005508322.tif 000002
及び
【数１６】
2005508322.tif 000003
で求められる、該過程を含むことを特徴とする方法。
【請求項２】
前記細胞毒性剤が、微小管阻害剤、トポイソメラーゼI抑制剤、トポイソメラーゼII抑制剤、代謝拮抗剤、有糸分裂阻害剤、アルキル化剤、插入剤、シグナル伝達経路を妨害することが可能な薬剤、アポトーシスまたは壊死のうちの１つ若しくはいくつかを促進する薬剤、インターフェロン、インターロイキン、腫瘍壊死因子または放射能のうちの１つ若しくはいくつかであること特徴とする請求項１に記載の方法。
【請求項３】
前記細胞毒性剤が、パクリタキセル、ビンクリスチン、ビンブラスチン、ビンデシン、ビノレルビン、ドセタキセル、トポテカン、カンプトセシン、塩酸イリノテカン、ドキソルビシン、エトポシド、ミトキサントロン、ダウノルビシン、イダルビシン、テニポシド、アムサクリン、エピルビシン、メルバロン、塩酸ピロキサントロン、5-フルオロウラシル、メトトレキセート、6-メルカプトプリン、6-チオグアニン、リン酸フルダラビン、シトシンアラビノシド、トリメトレキセート、ゲムシタビン、アシビシン、アラノシン、ピラゾフリン、N-ホスホアセチル-L-アスパレート（PALA）、ペントスタチン、5-アザシチジン、5-アザ-2'-デオキシシチジン、アデノシンアラビノシド、クラドリビン、フトラフール、UFT（ウラシルとフトラフールの組み合わせ）、5-フルオロ-2'-デオキシウリジン、5'-デオキシ-5-フルオロウリジン、チアゾフリン、ゼローダ（カペシタビン）、シスプラチン、カルボプラチン、オキサリプラチン、マイトマイシンＣ、BCNU（例えばカルムスチン）、メルファラン、チオテパ、ブスルファン、クロラムブシル、プリカマイシン、ダカルバジン、リン酸イホスファミド、シクロホスファミド、ナイトロジェンマスタード、ウラシルマスタード、ピポブロマン、4-イポミアノール、ジヒドロレンペロン、スピロムスチン、ゲルダナマイシン、サイトカラシン、デプシペプチド、ロイプロイド（例えばリュープロン）、ケトコナゾール、タモキシフェン、ゴセレリン（例えばゾラデックス）、フルタミド、4'-シアノ-3- (4-フルオロフェニルスルホニル)-2-ヒドロキシ- 2-メチル-3'-(トリフルオロメチル) プロピオンアニリド、ハーセプチン、抗CD20（リタキサン）、C225、イレッサ、インターフェロンα、インターフェロンβ、インターフェロンγ、インターロイキン２、インターロイキン４、インターロイキン１２、腫瘍壊死因子、放射能、ヒドロキシ尿素、アザチオプリン、アミノプテリン、トリメトプリン、ピリメタミン、プリトレキシム、DDMP（2,4 ジアミノ5(3', 4' ジクロロフェニル) 6 メチルピリミジン）、5,10-ジデアザテトラヒドロ葉酸、10-プロパルギル-5, 8 ジデアザ葉酸（CB3717）、10-エチル-10-デアザ-アミノプテリン、デオキシシチジン、5-アザ-シトシンアラビノシド、N-4-パルミトイル-シトシンアラビノシド、2'-アジド-2'-デオキシシトシンアラビノシド、N4-ベヘノイル-シトシンアラビノシド、CCNU（ロムスチン）、エストラムスチン、MeCCNU、トリエチレンメラミン、トレニモン、ジメチルブスルファン、ストレプトゾトシン、クロロゾトシン、プロカルバジン、ヘキサメチルメラミン（アルトレタミン）、ヘプタメチルメラミン（PMM）、テトラプラチン、オキサリプラチン、プラチナ-DACH、アジリジニルベンゾキノン（AZQ）、ブレオマイシン、タリソマイシンS10b、リブロマイシン、ペプレオマイシン、アスパラギナーゼ（Elspar）、pegaspargase（Oncaspar）、クラドリビン（ロイスタチン）、ポルフィマーナトリウム（フォトフリン）、アミノフィド、デオキシスペルグアリン、ジヒドロレンペローネ、フラボン酢酸、硝酸ガリウム、及びヘキサメチレン二アセトアミン（HMBA）のうちの１つ若しくはいくつかであること特徴とする請求項１に記載の方法。
【請求項４】
１若しくは複数の細胞毒性剤とスラミンを同時投与するためのキットであって、
薬剤担体に配合されたスラミンと、
腫瘍細胞の成長や増殖の抑制または腫瘍細胞の死滅の誘導の１つまたはいくつかにおいて前記細胞毒性剤と併用して前記スラミンを治療的に用いるためのインストラクションとを含むキット。
【請求項５】
前記インストラクションがスラミンの治療的な有効量を決定するための方法を含むことを特徴とする請求項４に記載のキット。
【請求項６】
前記スラミンの治療的な有効量を決定するためのインストラクションがノモグラムを含むことを特徴とする請求項５に記載のキット。
【請求項７】
前記細胞毒性剤の１つがパクリタキセルであることを特徴とする請求項４に記載のキット。
【請求項８】
前記細胞毒性剤の１つがカルボプラチンであることを特徴とする請求項４に記載のキット。
【手続補正書】
【提出日】平成16年8月18日(2004.8.18)
【手続補正１】
【補正対象書類名】明細書
【補正対象項目名】０００４
【補正方法】変更
【補正の内容】
【０００４】
上記の徴候から、不飽和の1-アミノアルキルシクロヘキサン構造に基づく一連の新規の非競合的NMDAレセプターアンタゴニストを開発した。この研究は、レセプター結合アッセイ、電気生理学的実験、１つの痙攣モデル及び２つのモデルの運動障害でのこれらの不飽和1-アミノアルキルシクロヘキサン誘導体のNMDAレセプターアンタゴニスト性質を比較することに専念した。これらの不飽和1-アミノアルキルシクロヘキサン類の置換は表１に詳述する。
【手続補正書】
【提出日】平成17年9月6日(2005.9.6)
【手続補正１】
【補正対象書類名】特許請求の範囲
【補正対象項目名】全文
【補正方法】変更
【補正の内容】
【特許請求の範囲】
【請求項１】
モノマーホルムアルデヒド、メチレングリコールおよびポリオキシメチレングリコールの形で、全濃度ｘ≧６５質量％でホルムアルデヒドを含有する、水性ホルムアルデヒド溶液において、ポリオキシメチレングリコールの平均モル質量
【化１】
2005508377.tif 000001
が、ホルムアルデヒド濃度の関数として、式（Ｉ）
【化２】
2005508377.tif 000002
［式中、
【化３】
2005508377.tif 000003
は平均モル質量を示し、
ｘは、モノマーホルムアルデヒド、メチレングリコールおよびポリオキシメチレングリコールの形でのホルムアルデヒドの全濃度を質量％で示す（全ホルムアルデヒド濃度）］により得られる値と同じかまたはそれを下廻る、水性ホルムアルデヒド溶液。
【請求項２】
固体の沈殿が、少なくとも５秒、好ましくは少なくとも１分、特に好ましくは少なくとも５分、さらに好ましくは少なくとも１時間に亘って生じない、請求項１に記載の水性ホルムアルデヒド溶液。
【請求項３】
溶液が、メタノール、エタノール、プロパノール、ブタノール、尿素およびメラミンから選択された安定化剤を含む、請求項１または２に記載の水性ホルムアルデヒド溶液。
【請求項４】
モノマーホルムアルデヒド、メチレングリコールおよびポリオキシメチレングリコールの形でのホルムアルデヒドの出発混合物  ５〜６５質量％、および場合により他の成分、たとえば安定化剤を含有する水性ホルムアルデヒド溶液を、一段階の熱的分離によって、少なくとも部分的に蒸発させ、出発混合物と比較して混合物の種々の化合物が増加した少なくとも２個の画分にし、その際、その少なくとも２個の画分中の少なくとも１個は、出発混合物と比較して水が減少しており、それによって、モノマーホルムアルデヒド、メチレングリコールおよびポリオキシメチレングリコールの形でのホルムアルデヒドが、これらの画分中に、全濃度≧６５質量％で存在し、その際、分離後に、モノマーホルムアルデヒド、メチレングリコールおよびポリオキシメチレングリコールの形でのホルムアルデヒドが、全濃度≧６５質量％で存在する画分についての、高められた温度での老化をおこなわないことを特徴とする、請求項１から３までのいずれか１項に記載の水性ホルムアルデヒド溶液を製造するための方法。
【請求項５】
分離を１秒〜５時間でおこなう、請求項４に記載の方法。
【請求項６】
少なくとも部分的な蒸発を、膜型蒸発器、好ましくは薄膜型蒸発器、ヘリカルチューブ型蒸発器またはコイルチューブ型蒸発器および流下膜型蒸発器から選択される膜型蒸発器中でおこなう、請求項４または５に記載の方法。
【請求項７】
少なくとも部分的な蒸発を、反応塔中でおこなう、請求項４または５に記載の方法。
【請求項８】
熱的分離を、１０〜１５０℃の温度でおこなう、請求項４に記載の方法。
【請求項９】
モノマーホルムアルデヒド、メチレングリコールおよび／またはポリオキシメチレングリコールと、モノマーホルムアルデヒド、メチレングリコールおよび／またはポリオキシメチレングリコールと反応性の化合物（ホルムアルデヒド自体を含む）との、モノマー、オリゴマーまたはポリマーの反応生成物を製造するための方法において、請求項１から３までのいずれか１項の水性ホルムアルデヒド溶液を使用することを特徴とする、モノマーホルムアルデヒド、メチレングリコールおよび／またはポリオキシメチレングリコールと、これらと反応性の化合物（ホルムアルデヒド自体を含む）との、モノマー、オリゴマーまたはポリマーの反応生成物の製造方法。
【請求項１０】
モノマーホルムアルデヒド、メチレングリコールおよび／またはポリオキシメチレングリコールと反応性の化合物を、アミノ基含有化合物；アルコール；チオール；カルボン酸；ジオール；アルデヒド（ホルムアルデヒド自体を含む）；マロネート；ケトン；ヒドロキシアミン、ヒドラジン、セミカルバジド；アセチレンおよびそれぞれの場合において挙げられた官能基に加えてか、あるいはそれに代えて、他の官能性基を有するか、あるいは官能基を有していなくてもよい、芳香族化合物およびオレフィンから成る群から選択する、請求項９に記載の方法。
【手続補正書】
【提出日】平成17年11月2日(2005.11.2)
【手続補正１】
【補正対象書類名】特許請求の範囲
【補正対象項目名】全文
【補正方法】変更
【補正の内容】
【特許請求の範囲】
【請求項１】
インターロイキン１３受容体を発現しかつ固形組織内に存する細胞を殺すための方法であって、該固形組織に少なくとも１つのカテーテルを直接挿入すること；および約３０μＬ／時間〜約１ｍＬ／時間の流量で予め定められた期間、固形組織への該カテーテルを通して固形組織へ細胞毒性剤を圧力下で投与し、それにより該細胞毒性剤の１部が該固形組織においてインターロイキン１３受容体を発現する細胞に接触して該細胞を殺すことを包含する方法。
【請求項２】
細胞毒性剤がＩＬ−１３受容体に結合するＩＬ−１３の１部を包含する、請求項１に記載の方法。
【請求項３】
細胞毒性剤が、毒素に融合したＩＬ−１３受容体に結合するＩＬ−１３の１部を包含する、請求項１または２に記載の方法。
【請求項４】
細胞毒性剤がＩＬ１３−ＰＥ３８ＱＱＲである、請求項１〜３のいずれか１項に記載の方法。
【請求項５】
該固形組織に少なくとも１つのカテーテルを直接挿入し、細胞毒性剤を該固形組織に投与する工程が繰り返される、請求項１〜４のいずれか１項に記載の方法。
【請求項６】
インターロイキン１３受容体を発現しかつ固形組織内に存する細胞を殺すための方法であって、該固形組織に少なくとも１つのカテーテルを直接挿入すること；および約１μｇ以上〜約１ｍｇのＩＬ１３−ＰＥ３８ＱＱＲを予め定められた期間、固形組織への該カテーテルを通して該固形組織に圧力下で投与し、それによりＩＬ１３−ＰＥ３８ＱＱＲの１部が該固形組織においてインターロイキン１３受容体を発現する細胞に接触して該細胞を殺すことを包含する方法。
【請求項７】
約２μｇ以上〜約６００μｇのＩＬ１３−ＰＥ３８ＱＱＲを該固形組織へ投与する、請求項６に記載の方法。
【請求項８】
約４μｇ以上〜約４００μｇのＩＬ１３−ＰＥ３８ＱＱＲを該固形組織へ投与する、請求項６に記載の方法。
【請求項９】
約４μｇ以上〜約１００μｇのＩＬ１３−ＰＥ３８ＱＱＲを該固形組織へ投与する、請求項６に記載の方法。
【請求項１０】
約５μｇ以上〜約５０μｇのＩＬ１３−ＰＥ３８ＱＱＲを該固形組織へ投与する、請求項６に記載の方法。
【請求項１１】
該固形組織に少なくとも１つのカテーテルを直接挿入し、細胞毒性剤を該固形組織に投与する工程が繰り返される、請求項６〜１０のいずれか１項に記載の方法。
【請求項１２】
さらに該組織または該腫瘍を切除することを包含する、請求項１〜１１のいずれか１項に記載の方法。
【請求項１３】
該細胞が腫瘍中にある、請求項１〜１２のいずれか１項に記載の方法。
【請求項１４】
該腫瘍が神経膠腫である、請求項１３に記載の方法。
【請求項１５】
該腫瘍が脳腫瘍または脳幹腫瘍である、請求項１４または１５に記載の方法。
【手続補正書】
【提出日】平成17年11月7日(2005.11.7)
【手続補正１】
【補正対象書類名】特許請求の範囲
【補正対象項目名】全文
【補正方法】変更
【補正の内容】
【特許請求の範囲】
【請求項１】
【化１】
2005508368.tif 000001
式（Ｉ）において、Ｒ１、Ｒ２、Ｒ３、Ｒ４、Ｒ５、Ｒ６、Ｒ７、Ｒ１１、Ｒ１２、Ｒ１５、Ｒ１６、およびＲ２０は、それぞれ独立に、水素、ハロ、アルキル、ハロアルキル、ヒドロキシ、アミノ、カルボキシル、オキソ、スルホン酸、または−ＮＨ−、−Ｎ（アルキル）−、−Ｏ−、−Ｓ−、−ＳＯ−、−ＳＯ２−、−Ｏ−ＳＯ２−、−ＳＯ２−Ｏ−、−ＳＯ３−Ｏ−、−ＣＯ−、−ＣＯ−Ｏ−、−Ｏ−ＣＯ−、−ＣＯ−ＮＲ’−、もしくは−ＮＲ’−ＣＯ−によって１箇所または複数の位置が任意選択で置換されているアルキルであり、
Ｒ８、Ｒ９、Ｒ１０、Ｒ１３、およびＲ１４は、それぞれ独立に、水素、ハロ、アルキル、ハロアルキル、ヒドロキシアルキル、アルコキシ、ヒドロキシ、またはアミノであり、
ｎは、０、１、または２であり、
Ａは、アルキレン、アルケニレン、またはアルキニレンであり、
Ｘ、Ｙ、およびＺは、それぞれ独立に、アルキル、ハロアルキル、−ＯＲ’、−ＳＲ’、−ＮＲ’Ｒ”、−Ｎ（ＯＲ’）Ｒ”、または−Ｎ（ＳＲ’）Ｒ”であり、あるいはＸとＹが一緒になって、＝Ｏ、＝Ｓ、または＝ＮＲ’であり、
Ｒ’およびＲ”は、それぞれ独立に、水素、アルキル、またはハロアルキルである、式（Ｉ）の化合物またはその塩、エステル、アミド、鏡像異性体、異性体、互変異性体、多形、プロドラッグ、もしくは誘導体。
【請求項２】
Ｒ５がβ水素であり、Ｒ３およびＲ６がαヒドロキシであり、ｎが０であり、Ａがアルキレンである請求項１に記載の化合物。
【請求項３】
Ｘ、Ｙ、およびＺが、アルキル、ハロアルキル、−ＯＲ’、または−ＳＲ’であり、あるいはＸとＹが一緒になって、＝Ｏまたは＝Ｓであり、Ｚが、−ＯＲ’、−ＳＲ’、−ＮＲ’Ｒ”、−Ｎ（ＯＲ’）Ｒ”、または−Ｎ（ＳＲ’）Ｒ”である請求項１に記載の化合物。
【請求項４】
前記化合物が
【化２】
2005508368.tif 000002
である請求項１に記載の化合物。
【請求項５】
前記化合物が
【化３】
2005508368.tif 000003
である請求項１に記載の化合物。
【請求項６】
【化４】
2005508368.tif 000004
式（Ｉ）において、Ｒ１、Ｒ２、Ｒ３、Ｒ４、Ｒ５、Ｒ６、Ｒ７、Ｒ１１、Ｒ１２、Ｒ１５、Ｒ１６、およびＲ２０は、それぞれ独立に、水素、ハロ、アルキル、ハロアルキル、ヒドロキシ、アミノ、カルボキシル、オキソ、スルホン酸、または−ＮＨ−、−Ｎ（アルキル）−、−Ｏ−、−Ｓ−、−ＳＯ−、−ＳＯ２−、−Ｏ−ＳＯ２−、−ＳＯ２−Ｏ−、−ＳＯ３−Ｏ−、−ＣＯ−、−ＣＯ−Ｏ−、−Ｏ−ＣＯ−、−ＣＯ−ＮＲ’−、もしくは−ＮＲ’−ＣＯ−によって１箇所または複数の位置が任意選択で置換されているアルキルであり、
Ｒ８、Ｒ９、Ｒ１０、Ｒ１３、およびＲ１４は、それぞれ独立に、水素、ハロ、アルキル、ハロアルキル、ヒドロキシアルキル、アルコキシ、ヒドロキシ、またはアミノであり、
ｎは、０、１、または２であり、
Ａは、アルキレン、アルケニレン、またはアルキニレンであり、
Ｘ、Ｙ、およびＺは、それぞれ独立に、アルキル、ハロアルキル、−ＯＲ’、−ＳＲ’、−ＮＲ’Ｒ”、−Ｎ（ＯＲ’）Ｒ”、または−Ｎ（ＳＲ’）Ｒ”であり、あるいはＸとＹが一緒になって、＝Ｏ、＝Ｓ、または＝ＮＲ’であり、
Ｒ’およびＲ”は、それぞれ独立に、水素、アルキル、またはハロアルキルである、式（Ｉ）の化合物、またはその塩、エステル、アミド、鏡像異性体、異性体、互変異性体、多形、プロドラッグ、もしくは誘導体から選択される治療有効量の化合物を含む薬剤組成物。
【請求項７】
Ｒ５がβ水素であり、Ｒ３およびＲ６がαヒドロキシであり、ｎが０であり、Ａがアルキレンである請求項６に記載の組成物。
【請求項８】
Ｘ、Ｙ、およびＺが、アルキル、ハロアルキル、−ＯＲ’、または−ＳＲ’であり、あるいはＸとＹが一緒になって、＝Ｏまたは＝Ｓであり、Ｚが、−ＯＲ’、−ＳＲ’、−ＮＲ’Ｒ”、−Ｎ（ＯＲ’）Ｒ”、または−Ｎ（ＳＲ’）Ｒ”である請求項６に記載の組成物。
【請求項９】
前記化合物が
【化５】
2005508368.tif 000005
である請求項６に記載の組成物。
【請求項１０】
前記化合物が
【化６】
2005508368.tif 000006
である請求項６に記載の組成物。
【請求項１１】
前記組成物が剤形である請求項６に記載の組成物。
【請求項１２】
前記剤形が、錠剤、軟ゼラチンカプセル、硬ゼラチンカプセル、懸濁性錠剤、発泡性錠剤、粉末、発泡性粉末、チュアブル錠、溶液、懸濁液、乳濁液、クリーム、ゲル、パッチ、および座剤からなる群から選択される請求項１１に記載の組成物。
【請求項１３】
前記剤形が錠剤である請求項１１に記載の組成物。
【請求項１４】
前記剤形が軟ゼラチンカプセルである請求項１１に記載の組成物。
【請求項１５】
前記剤形が硬ゼラチンカプセルである請求項１１に記載の組成物。
【請求項１６】
前記剤形が懸濁製錠剤である請求項１１に記載の組成物。
【請求項１７】
前記剤形が発泡性錠剤である請求項１１に記載の組成物。
【請求項１８】
前記剤形が粉末である請求項１１に記載の組成物。
【請求項１９】
前記剤形が発泡性粉末である請求項１１に記載の組成物。
【請求項２０】
前記剤形がチュアブル錠である請求項１１に記載の組成物。
【請求項２１】
前記剤形が溶液である請求項１１に記載の組成物。
【請求項２２】
前記剤形が懸濁液である請求項１１に記載の組成物。
【請求項２３】
前記剤形が乳濁液である請求項１１に記載の組成物。
【請求項２４】
前記剤形がクリームである請求項１１に記載の組成物。
【請求項２５】
前記剤形がゲルである請求項１１に記載の組成物。
【請求項２６】
前記剤形がパッチである請求項１１に記載の組成物。
【請求項２７】
前記剤形が座剤である請求項１１に記載の組成物。
【請求項２８】
製薬的に許容される賦形剤をさらに含む請求項１１に記載の組成物。
【請求項２９】
前記製薬的に許容される賦形剤が、結合剤、崩壊剤、充填剤、界面活性剤、可溶化剤、安定剤、滑沢剤、湿潤剤、希釈剤、粘着防止剤、流動促進剤、または、製薬的適合性のある担体を含む請求項２８に記載の組成物。
【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
気分障害の治療のための医薬を製造するための化合物であって、前記化合物は：
【化１】
2005508363.tif 000001
【化２】
2005508363.tif 000002
【化３】
2005508363.tif 000003
（式中、Ｇ＝Ｏ−アルキル、Ｎ（アルキル）２、およびその他薬学的に許容可能なそのエステルである。）
および薬学的に許容可能なその塩およびエステルからなる群から選択される少なくとも１である、化合物。
【請求項２】
前記気分障害が、うつ病を含む、請求項１に記載の化合物。
【請求項３】
前記気分障害が、病的な精神および／または情緒状態を含む、請求項１に記載の化合物。
【請求項４】
前記気分障害が、双極性躁うつ病または季節感情障害を含む、請求項１に記載の化合物。
【請求項５】
前記医薬は、経口、直腸、局所、舌下、粘膜、鼻、眼、皮下、筋肉内、静脈内、経皮、脊髄、髄腔内、関節内、動脈内、クモ膜下、気管支、リンパおよび子宮内投与からなる群から選択される投与様式により投与される、請求項１に記載の化合物。
【請求項６】
前記医薬が、他の気分障害治療薬をさらに含む、請求項１に記載の化合物。
【請求項７】
前記他の気分障害治療薬が、三環系抗うつ薬、ＭＡＯ阻害薬、５−ＨＴアゴニストおよびアンタゴニスト、アミノケトン、セロトニン再取込阻害薬およびアドレナリン作動性再取込阻害薬からなる群から選択される薬剤を含む、請求項６に記載の化合物。
【請求項８】
気分障害に罹っているかまたは気分障害を起こしやすい患者の気分障害を治療する組成物であって、以下の化合物：
【化４】
2005508363.tif 000004
【化５】
2005508363.tif 000005
【化６】
2005508363.tif 000006
（式中、Ｇ＝Ｏ−アルキル、Ｎ（アルキル）２、およびその他薬学的に許容可能なそのエステルである。）
および薬学的に許容可能なその塩およびエステルからなる群から選択される少なくとも１つの化合物を含む、組成物。
【請求項９】
単位投与形態である、請求項８に記載の組成物。
【請求項１０】
前記単位投与形態が、経口投与形態を含む、請求項９に記載の組成物。
【請求項１１】
他の気分障害治療薬をさらに含む、請求項８に記載の組成物。
【請求項１２】
前記他の気分障害治療薬が、三環系抗うつ薬、ＭＡＯ阻害薬、５−ＨＴアゴニストおよびアンタゴニスト、アミノケトン、セロトニン再取込阻害薬およびアドレナリン作動性再取込阻害薬からなる群から選択される薬剤を含む、請求項１１に記載の組成物。
【請求項１３】
気分障害に罹っているかまたは気分障害を起こしやすい患者の気分障害を治療するための組成物であって、次の一般式のジアリールメチルピペラジン化合物：
【化１２】
2005508363.tif 000007
（式中：
Ａｒ１は炭素原子上に置換基Ｙを有する６員炭素環式芳香環であり、式中のＹは式中のＲ９およびＲ１０が共にエチル基である式ＣＯＮＲ９Ｒ１０のカルボキサミドであり；
Ｚは水素、ヒドロキシルおよびアルコキシからなる群から選択され；そして
Ａｒ２はその炭素原子上に置換基Ｘを有し、前記Ｘがハロゲンである６員炭素環式芳香環である。）
あるいは薬学的に許容可能なそのエステルまたは塩を含む、組成物。
【請求項１４】
前記ジアリールメチルピペラジン化合物が、経口投与形態で投与される、請求項１３に記載の組成物。
【請求項１５】
他の気分障害治療薬をさらに含む、請求項１３に記載の組成物。
【請求項１６】
デルタオピオイドレセプターアゴニストではない他の気分障害治療薬をさらに含む、請求項１３に記載の組成物。
【請求項１７】
前記他の気分障害治療薬が、三環系抗うつ薬、ＭＡＯ阻害薬、５−ＨＴアゴニストおよびアンタゴニスト、アミノケトン、セロトニン再取込阻害薬およびアドレナリン作動性再取込阻害薬からなる群から選択される薬剤を含む、請求項１５に記載の組成物。
【請求項１８】
気分障害の治療のための医薬を製造するための化合物であって、前記化合物が、次の一般式のジアリールメチルピペラジン化合物：
【化１３】
2005508363.tif 000008
（式中：
Ａｒ１はその炭素原子上に置換基Ｙを有する６員炭素環式芳香環であり、式中のＹは式中のＲ９およびＲ１０が共にエチル基である式ＣＯＮＲ９Ｒ１０のカルボキサミドであり；
Ｚは水素、ヒドロキシルおよびアルコキシからなる群から選択され；そして
Ａｒ２はその炭素原子上に置換基Ｘを有し、前記Ｘがハロゲンである６員炭素環式芳香環である。）
あるいは薬学的に許容可能なそのエステルまたは塩である、化合物。
【請求項１９】
前記医薬が、他の気分障害治療薬をさらに含む、請求項１８に記載の化合物。
【請求項２０】
前記他の気分障害治療薬が、三環系抗うつ薬、ＭＡＯ阻害薬、５−ＨＴアゴニストおよびアンタゴニスト、アミノケトン、セロトニン再取込阻害薬およびアドレナリン作動性再取込阻害薬からなる群から選択される、請求項１９に記載の化合物。
【手続補正書】
【提出日】平成17年7月15日(2005.7.15)
【手続補正１】
【補正対象書類名】特許請求の範囲
【補正対象項目名】請求項８
【補正方法】変更
【補正の内容】
【請求項８】
胚以外の哺乳類が成体である、請求項1記載の方法。
【手続補正２】
【補正対象書類名】特許請求の範囲
【補正対象項目名】請求項９
【補正方法】変更
【補正の内容】
【請求項９】
胚以外の哺乳類が幼若体である、請求項1記載の方法。
【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
糖尿病およびその関連疾患治療用投与製剤であって、メトホルミンまたはその製薬的に許容される塩、少なくとも1つのポリマーが陰イオン性ポリマーである２つまたはそれ以上の膨潤可能ポリマー、核組成物の圧縮性を高める１つまたはそれ以上の製薬的に許容される賦形剤からなる圧縮可能な制御放出型核組成物および所望により核組成物を囲む１つまたはそれ以上の水不溶性ポリマーを含むコートからなる投与製剤。
【請求項２】
即時放出型長時間作用性スルホニル尿素組成物をさらに含有する、請求項１に記載の投与製剤。
【請求項３】
長時間作用性スルホニル尿素が、カルブタミド、クロルプロパミド、グリブリド(グリベングラミド)、グリメピリド、グリクラジド、グリボムリド、グリヘキサミド、フェンブタミド、トラザミド、トルブタミドおよびトルサイクラミドからなる群から選択される、請求項２に記載の投与製剤。
【請求項４】
長時間作用性スルホニル尿素がグリメピリドである、請求項２に記載の投与製剤。
【請求項５】
メトホルミンまたはその製薬的に許容される塩の量が、投与製剤当たり約５００ｍｇ〜約１０００ｍｇである、請求項１に記載の投与製剤。
【請求項６】
膨潤可能ポリマーが、高粘性等級のセルロース誘導体である、請求項１に記載の投与製剤。
【請求項７】
セルロース誘導体が、ヒドロキシプロピルメチルセルロース（HPMC)である、請求項６に記載の投与製剤。
【請求項８】
ヒドロキシプロピルメチルセルロースの２％ w/w水溶液が、約８０，０００〜約１２０，０００cps単位の範囲の粘性を持つ、請求項7に記載の投与製剤。
【請求項９】
高粘性等級HPMCが、Methocel（登録商標）K100Mである、請求項８に記載の投与製剤。
【請求項１０】
膨潤可能ポリマーが、２％ w/w水溶液について約１０，０００cpsよりも大きな粘性を持つ高粘性等級HPMC、および２％ w/w水溶液について約１０，０００cpsまたはそれ以下の粘性を持つ低粘性等級HPMCの混合物である、請求項１に記載の投与製剤。
【請求項１１】
高粘性等級HPMCが、２％ w/w水溶液について約１００，０００cpsの粘性を持ち、および低粘性等級HPMCが、２％ w/w水溶液について約４，０００cpsの粘性を持つ、請求項１０に記載の投与製剤。
【請求項１２】
高粘性等級HPMCがMethocel（登録商標）K100Mであり、低粘性等級HPMCがMethocel（登録商標）K4Mである、請求項１１に記載の投与製剤。
【請求項１３】
陰イオン性ポリマーが、ポリアクリル酸またはキサンタンガムあるいはその混合物である、請求項１に記載の投与製剤。
【請求項１４】
膨潤可能ポリマーの濃度が、該投与製剤の全重量の約１５〜４０%の範囲である、請求項１に記載の投与製剤。
【請求項１５】
核組成物の圧縮性を高める賦形剤が、微結晶セルロース、粉末セルロース、ケイ化微結晶セルロース、デキストリンおよび二酸化ケイ素、コロイド状二酸化ケイ素、カオリン、二酸化チタン、融合二酸化ケイ素、アルミナ、ベントナイト、ケイ酸マグネシウム、三ケイ酸マグネシウム、無水硫酸カルシウム、マグネシウムアルミニウムケイ酸およびその他同種のものからなる群から選択される、請求項１に記載の投与製剤。
【請求項１６】
賦形剤が微結晶セルロースである、請求項１５に記載の投与製剤。
【請求項１７】
核組成物からのメトホルミンの放出の速度を調節し、浸透圧性物質、弱酸および弱塩基、界面活性剤およびその他同種のものからなる群から選択される賦形剤をさらに含む、請求項１に記載の投与製剤。
【請求項１８】
浸透圧性物質が塩化ナトリウムである、請求項１７に記載の投与製剤。
【請求項１９】
弱塩基が重炭酸ナトリウムである、請求項１７に記載の投与製剤。
【請求項２０】
糖尿病およびその関連疾患治療用投与製剤であって、長時間作用性スルホニル尿素を含む即時放出型組成物およびビグアナイドを含む制御放出型組成物を含有する投与製剤。
【請求項２１】
長時間作用性スルホニル尿素がグリメピリドである、請求項２０に記載の投与製剤。
【請求項２２】
ビグアナイドがメトホルミンまたはその製薬的に許容される塩である、請求項２０に記載の投与製剤。
【請求項２３】
グリメピリドの量が１．０ｍｇである、請求項２１に記載の投与製剤。
【請求項２４】
メトホルミンの量が、その塩基形態またはその製薬的に許容される塩として５００．０ｍｇである、請求項２２に記載の投与製剤。
【手続補正書】
【提出日】平成17年10月3日(2005.10.3)
【手続補正１】
【補正対象書類名】明細書
【補正対象項目名】特許請求の範囲
【補正方法】変更
【補正の内容】
【特許請求の範囲】
【請求項１】
対象に消化管経路で投与することにより前記対象における自閉症スペクトラム障害を処置する組成物の製造のための、ヒトプール血液（pooled human blood）から単離された免疫グロブリンの使用。
【請求項２】
前記消化管経路が経口経路、直腸経路、舌下経路、または口腔経路である請求項１の使用。
【請求項３】
前記免疫グロブリンが免疫グロブリンＧおよび／または免疫グロブリンＡを含む請求項１または２の使用。
【請求項４】
前記免疫グロブリンが医薬的に許容できる担体に分散されている請求項１〜３のいずれかの使用。
【請求項５】
前記処置が制酸薬を前記組成物と組み合わせて投与することを含む請求項１〜４のいずれかの使用。
【請求項６】
前記制酸薬が前記組成物の前または同時に投与される請求項５の使用。
【請求項７】
前記組成物が１００〜１０００ｍｇ／日の用量で投与される請求項１〜６のいずれかの使用。
【請求項８】
前記免疫グロブリンが少なくとも１００人の献血者からプールされたヒト血液から単離されたものである請求項１〜７のいずれかの使用。
【請求項９】
自閉症スペクトラム障害の処置において同時または順次的に使用する結合製剤（combined preparation）としてヒトプール血液（pooled human blood）から単離された免疫グロブリンおよび制酸薬からなる免疫グロブリン組成物を含む製品。
【請求項１０】
前記免疫グロブリン組成物が免疫グロブリンＧ、免疫グロブリンＡ、またはそれらの組合せを含む請求項９の製品。
【請求項１１】
対象に、免疫グロブリンを１００〜１０００ｍｇ／日の用量で、消化管経路で投与することにより前記対象における自閉症スペクトラム障害を処置する組成物の製造のための、免疫グロブリンの使用。
【請求項１２】
前記消化管経路が経口経路、直腸経路、舌下経路、または口腔経路である請求項１１の使用。
【請求項１３】
前記免疫グロブリンが医薬的に許容できる担体に分散されている請求項１１または１２の使用。
【請求項１４】
前記処置が制酸薬を前記組成物と組み合わせて投与することを含む請求項１１〜１３のいずれかの使用。
【請求項１５】
前記制酸薬が前記組成物の前または同時に投与される請求項１４の使用。
【請求項１６】
前記組成物がヒト免疫グロブリンを含む請求項１１〜１５のいずれかの使用。
【請求項１７】
前記免疫グロブリンが免疫グロブリンＧおよび／または免疫グロブリンＡを含む請求項１１〜１６のいずれかの使用。
【請求項１８】
前記免疫グロブリンが天然免疫グロブリンまたは組換え免疫グロブリンを含む請求項１１〜１７のいずれかの使用。
【請求項１９】
前記免疫グロブリンがヒトプール血液（pooled human blood）から単離された免疫グロブリンを含む請求項１１〜１７のいずれかの使用。
【請求項２０】
前記免疫グロブリンが少なくとも１００人の献血者からプールされた血液から単離された免疫グロブリンを含む請求項１９のいずれかの使用。
【手続補正書】
【提出日】平成17年10月25日(2005.10.25)
【手続補正１】
【補正対象書類名】特許請求の範囲
【補正対象項目名】全文
【補正方法】変更
【補正の内容】
【特許請求の範囲】
【請求項１】
ａ）エリスロマイシンＡをＲ3ＳｉＣｌ及び／又はＲ3Ｓｉ−イミダゾール又は(Ｒ3Ｓｉ)2ＮＨ又はＲ3ＳｉＯ3ＳＣＦ3（ここでＲはＣＨ3、Ｃ2Ｈ5を意味する）と塩基性条件下で反応させて式（IX）
【化１】
2005508391.tif 000001
の化合物を生成させ、そして
ｂ）次に酸化剤の添加により酸化して、式Ｘ
【化２】
2005508391.tif 000002
の化合物を得、そして
ｃ）生成した式（Ｘ）の化合物を塩基性条件下でメチル化剤の添加により式（XI）
【化３】
2005508391.tif 000003
の化合物に変換し、そして次に
ｄ）式（XI）の化合物を酸加水分解により式（XII）
【化４】
2005508391.tif 000004
の化合物に変換し、そして次に
ｅ）式（XII）の化合物を還元性条件下でデスクラリスロマイシン（II）
【化５】
2005508391.tif 000005
に変換する工程からなる、デスクラリスロマイシンの製造方法。
【請求項２】
段階ａ）及びｂ）の化学反応の順序を変える請求項１に記載の方法。
【請求項３】
段階ｄ）及びｅ）の化学反応の順序を変える請求項１又は２に記載の方法。
【請求項４】
ＲがＣＨ3、Ｃ2Ｈ5でありそしてＲ’がＨ又はＳｉＲ3である式（Ｘ）
【化６】
2005508391.tif 000006
の化合物。
【請求項５】
式（Ｘ）の化合物を製造するため酸化剤を式（IX）
【化７】
2005508391.tif 000007
の化合物に添加することからなるか又はエリスロマイシンＡを酸化剤で酸化しそして次にＲ3ＳｉＣｌ及び／又はＲ3Ｓｉ−イミダゾール又は(Ｒ3Ｓｉ)2ＮＨ又はＲ3ＳｉＯ3ＳＣＦ3（ここでＲはＣＨ3、Ｃ2Ｈ5を意味する）を塩基性条件下で使用して反応を起こさせることからなる請求項４に記載の式（Ｘ）の化合物の製造方法。
【請求項６】
ＲがＣＨ3、Ｃ2Ｈ5でありそしてＲ’がＨ又はＳｉＲ3である式（XI）
【化８】
2005508391.tif 000008
の化合物。
【請求項７】
請求項４に記載の式（Ｘ）の化合物を塩基性条件下でメチル化剤と混合することからなる請求項６に記載の式（XI）の化合物の製造方法。
【請求項８】
式（XII）
【化９】
2005508391.tif 000009
の化合物。
【請求項９】
請求項６に記載の式（XI）の化合物を酸性条件下で加水分解することからなる請求項８に記載の式（XII）の化合物の製造方法。
【請求項１０】
デスクラリスロマイシンの製造において請求項４、６又は８に記載の化合物Ｘ、XI又はXIIの１つ又はそれより多くの使用。
【手続補正２】
【補正対象書類名】明細書
【補正対象項目名】発明の名称
【補正方法】変更
【補正の内容】
【発明の名称】デスクラリスロマイシンの製造方法、及び中間体生成物
【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
以下の一般式（Ｉ）の化合物であって、
【化１】
2005508392.tif 000001
各ＲがそれぞれＣ6−Ｃ10アリーレン基、任意にアリーレン基を含む直鎖または分枝鎖Ｃ2−Ｃ20アルキレン基、または１つ以上の−ＮＨ−基をアルキレン鎖中に含むＣ4−Ｃ20直鎖アルキレン基であり、Ｘがそれぞれ−Ｏ−、−Ｓ−、または  Ｒ5  が水素またはＣ1−Ｃ6アルキルである−ＮＲ5−であり、各ＡＯ基がそれぞれエチレンオキシ（ＥＯ）、１，２−プロピレンオキシ（ＰＯ）、または１，２−ブチレンオキシ（ＢＯ）基であり、ｎ、ｍ、及びｐのそれぞれが０〜５０の数で、ｎ、ｍ、及びｐの合計が４〜約５０であり、並びに各Ｒ4基がそれぞれＣ（Ｏ）Ｒ6基からなる基から選択された成分、及び−ＣＨ2−ＣＨ（ＯＨ）−Ｒ9であり、Ｒ6とＲ9がそれぞれ飽和または非飽和、置換または非置換、Ｃ1−Ｃ18炭化水素基である、化合物。
【請求項２】
各Ｒがそれぞれエチレン基である、請求項１に記載の化合物。
【請求項３】
各Ｒ4基がそれぞれ−ＣＨ2−ＣＨ（ＯＨ）−Ｒ9基であり、各Ｒ9がそれぞれ飽和または非飽和、置換または非置換、Ｃ1−Ｃ18炭化水素基である、請求項１に記載の化合物。
【請求項４】
各Ｒ9がそれぞれＣ4-Ｃ12アルキル基である、請求項３に記載の化合物。
【請求項５】
以下の一般式（２）の化合物であって、
【化２】
2005508392.tif 000002
各Ｒ7がそれぞれ直鎖または分岐鎖Ｃ2−Ｃ10アルキレン基であり、各Ｘがそれぞれ−Ｏ−、−Ｓ−、または  Ｒ5  が水素またはＣ1−Ｃ6アルキル基である−ＮＲ5−であり、各ＡＯ基がそれぞれエチレンオキシ（ＥＯ）、１，２−プロピレンオキシ（ＰＯ）、または１，２−ブチレンオキシ（ＢＯ）基であり、ｎ、ｍ、及びｐの合計が６〜２７であり、並びに各Ｒ8基がそれぞれ−ＣＨ2−ＣＨ（ＯＨ）−Ｒ9であり、そこでＲ9が直鎖または分岐鎖、飽和または非飽和、Ｃ1−Ｃ18炭化水素基である、化合物。
【請求項６】
前記Ｒ7基が全てエチレン基であり、Ｘ基が全て-Ｏ- 基であり、並びにｎ、ｍ、及びｐの合計が６〜１８である、請求項５に記載の化合物。
【請求項７】
全てのＲ9基がＣ4-Ｃ12アルキル基である、請求項５に記載の化合物。
【請求項８】
全てのＲ9基がＣ4-Ｃ12アルキル基であり、ｎ、ｍ、及びｐの合計が６〜１２であり、全てのＡＯ基がエチレンオキシ基である、請求項６に記載の化合物。
【請求項９】
各Ｘが-Ｏ-である、請求項１又は５に記載の化合物。
【請求項１０】
各ＡＯ基がエチレンオキシ基である、請求項１、５、６又は９に記載の化合物。
【請求項１１】
各Ｒがそれぞれ直鎖または分枝鎖Ｃ2-Ｃ10アルキレン基である、請求項１，９又は１０に記載の化合物。
【請求項１２】
ｎ、ｍ、及びｐの合計が６〜２７である、請求項１，３，９，１０又は１１に記載の化合物。
【請求項１３】
ｎ、ｍ、及びｐの合計が６〜１２である、請求項１又は５に記載の化合物。
【請求項１４】
化合物が以下の一般式（ＩＶ）、
【化３】
2005508392.tif 000003
を有し、式中、鎖当たりの３個のＥＯ基は、合計９個のＥＯ基の平均を示し、Ｃ8Ｈ17基は直鎖または分枝鎖である、化合物。
【請求項１５】
請求項１、５又は１４に記載の少なくとも１つの化合物を界面活性有効量含む水性または非水系組成物。
【請求項１６】
請求項１、５又は１４に記載の少なくとも１つの化合物の消泡有効量を含む水性または非水系組成物。
【請求項１７】
前記組成物が、ラテックス塗料、インク、接着剤、または金属作用組成物である、請求項１５又は１６に記載の組成物。
【請求項１８】
９モルの酸化エチレンでエポキシ化されたトリエタノールアミンとエポキシ化Ｃ10オレフィンの反応生成物であって、前記トリエタノールアミンと前記エポキシ化オレフィンが約１：３のモル比で反応する、反応生成物。
【請求項１９】
前記Ｃ10オレフィンがアルファオレフィンである請求項１８に記載の反応生成物。
【請求項２０】
Ｉ）請求項１に記載の化合物を少なくとも１つ、及び
ＩＩ）アルキルポリグリコシドを少なくとも１つ、
含む水性界面活性剤組成物であって、消泡有効量の成分Iが水性組成物中に存在する、水性界面活性剤組成物。
【手続補正書】
【提出日】平成17年9月26日(2005.9.26)
【手続補正１】
【補正対象書類名】特許請求の範囲
【補正対象項目名】全文
【補正方法】変更
【補正の内容】
【特許請求の範囲】
【請求項１】
式
Ｚ1−Ｏ−［ｍ（Ｒ1ＰＯ3），ｎ（Ｒ2ＨＰＯ3）］−Ｚ2  （Ｉ）
（式中、
［ｍ（Ｒ1ＰＯ3），ｎ（Ｒ2ＨＰＯ3）］は、ｍ個の（Ｒ1ＰＯ3）単位及びｎ個の（Ｒ2ＨＰＯ3）単位を有するコポリホスフェートを表し；
Ｒ1はアンモニウム構成ブロックを表し；
Ｒ2は１，３，５−トリアジン構成ブロックを表し；
Ｚ1及びＺ2は、互いに独立して選択されるアンモニウム又は１，３，５−トリアジン構成ブロックを表し；
ｍ及びｎは、１より大きいか又は等しい整数を表し；但し、ｍとｎの合計は３より大きい。）
で表される化合物。
【請求項２】
メラミン、アンメリン、アンメリド又はメラム、メレム又はそれらの混合物を含むメラミンの縮合生成物がトリアジン構成ブロックとして使用される請求項１記載の化合物。
【請求項３】
請求項１記載の化合物（Ｉ）が、他の難燃性成分及び／又は強化剤及び／又は充填剤との相乗的組合せで存在しているポリマー組成物。
【請求項４】
３５ないし９９重量％のポリマー；
０ないし８０重量％の強化剤及び／又は充填剤；
１ないし５０重量％の請求項１記載の化合物（Ｉ）；
＜１０重量％のアンモニウムポリホスフェート（ＡＰＰ）
を含むポリマー組成物。
【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
固相にGLP-1化合物を含み、溶液相にインスリンを含む二相混合物を含む医薬製剤。
【請求項２】
GLP-1化合物が、配列番号: 1、配列番号: 2、配列番号: 3、配列番号: 4、配列番号: 5および配列番号: 6から選ばれる配列をもつ請求項１に記載の医薬製剤。
【請求項３】
配列が、配列番号: 2である請求項２に記載の医薬製剤。
【請求項４】
配列が、配列番号: 3である請求項２に記載の医薬製剤。
【請求項５】
インスリンが、レギュラーヒトインスリンまたはモノマーインスリン類縁体である請求項１〜４のいずれか１つに記載の医薬製剤。
【請求項６】
モノマーインスリン類縁体が、AspB28、AspB28-ProB29、LysB28、LysB28-ProB29、LeuB28およびLeuB28-ProB29から選ばれる請求項５に記載の医薬製剤。
【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
治療を必要とする哺乳動物を治療するための胃滞留型投与形態の治療上有効量のロサルタンまたはその医薬上許容される塩を含むことを特徴とする高血圧用医薬組成物。
【請求項２】
該投与形態を一日一回投与する請求項１記載の組成物。
【請求項３】
該投与形態を食餌と共に投与する請求項２記載の組成物。
【請求項４】
さらに、利尿剤、ベータ−遮断剤、ＡＣＥ阻害剤、カルシウムチャネル遮断剤、アルファ−遮断剤、アルファ−ベータ遮断剤、血管拡張剤、（中枢で作用する）アルファアンタゴニスト、およびアドレナリン作動性ニューロン遮断剤よりなる群から選択される１以上の治療剤を含む請求項１記載の組成物。
【請求項５】
該投与形態におけるロサルタンの量が約１０ないし１５０ｍｇである請求項１記載の組成物。
【請求項６】
該投与形態におけるロサルタンの量が約２５ないし１００ｍｇである請求項５記載の組成物。
【請求項７】
該投与形態におけるロサルタンの量が約５０ないし１００ｍｇである請求項６記載の組成物。
【請求項８】
該投与形態が、ロサルタンを哺乳動物の胃、十二指腸および小腸に放出するための徐放性経口薬物投与形態である請求項１記載の組成物。
【請求項９】
該投与形態が少なくとも５時間の間投与された場合に、ロサルタンの少なくとも４０重量％が少なくとも１時間該投与形態に保持されるように該投与形態が処方された請求項８記載の組成物。
【請求項１０】
該投与形態が約６ないし２４時間の間投与された場合に、ロサルタンの少なくとも８５重量％が送達されるように該投与形態が処方された請求項９記載の組成物。
【請求項１１】
該投与形態が、それが供給モードで投与形態の保持を促進する程度まで膨潤する少なくとも１つの親水性ポリマーを含む請求項９記載の組成物。
【請求項１２】
該ポリマーがポリエチレンオキサイド、アルキル置換セルロース物質、およびその組合せよりなる群から選択される請求項１１記載の組成物。
【請求項１３】
該投与形態が、さらに、ガスを発生する剤を含む請求項９記載の組成物。
【請求項１４】
ロサルタンが、該ガス発生剤と共に膜サシェ剤に含まれる請求項１３記載の組成物。
【請求項１５】
該投与形態が接着性錠剤である請求項１記載の組成物。
【請求項１６】
該投与形態が、哺乳動物の胃におけるロサルタンの徐放を可能とするフイルム被覆投与形態またはカプセル投与形態である請求項１記載の組成物。
【請求項１７】
該投与形態が、ポリ（エチレンオキサイド）およびヒドロキシプロピルメチルセルロースよりなるマトリックスを有する膨潤性徐放錠剤である請求項１記載の組成物。
【請求項１８】
胃滞留型投与形態の、治療上有効量のロサルタンまたはその医薬上許容される塩を含むことを特徴とする心不全の治療用医薬組成物。
【請求項１９】
胃滞留型投与形態の、治療上有効量のロサルタンまたはその医薬上許容される塩を含むことを特徴とする糖尿病性ネフロパシーの治療用医薬組成物。
【請求項２０】
胃滞留型投与形態の、治療上有効量のロサルタンまたはその医薬上許容される塩を治療を含むことを特徴とする心筋梗塞の治療用医薬組成物。
【手続補正書】
【提出日】平成17年9月29日(2005.9.29)
【手続補正１】
【補正対象書類名】特許請求の範囲
【補正対象項目名】請求項６
【補正方法】変更
【補正の内容】
【請求項６】
前記反応性溶媒が、プロピレンカーボネート、グリシジルエーテル、ビニルエーテル、アリルエーテル、アクリレート、およびこれらの混合物からなる群から選択される請求項１に記載の方法。
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
ウェーハ搬送システムであって、
互いに反対側に位置する第１の壁と第２の壁を備えた第１のウェーハ搬送チャンバと、
互いに反対側に位置する第１の壁と第２の壁を備えた第２のウェーハ搬送チャンバと、
前記第１及び前記第２のウェーハ搬送チャンバの前記第１の壁に沿って設けられた第１の持上げ磁石レールと、
前記第１及び前記第２のウェーハ搬送チャンバの前記第２の壁に沿って設けられた第２の持上げ磁石レールと、
前記第１及び前記第２のウェーハ搬送チャンバの前記第１の壁に沿って間欠的に設けられた複数個の推進コイルと、
ウェーハを前記第１のウェーハ搬送チャンバと前記第２のウェーハ搬送チャンバとの間で移動させるようになった搬送シャトルとを有し、前記搬送シャトルは、前記第１及び前記第２の持上げ磁石レールと磁気結合するようになった複数の支持磁石と、前記複数個の推進コイルと磁気結合するようになった複数の推進磁石とを有することを特徴とするウェーハ搬送システム。
【請求項２】
前記第１及び前記第２の持上げ磁石レールは、前記第１及び前記第２のウェーハ搬送チャンバの前記第１及び前記第２の壁の中に埋め込まれていることを特徴とする請求項１記載のウェーハ搬送システム。
【請求項３】
前記推進コイルは、前記第１の持上げ磁石レールに近接して設けられていることを特徴とする請求項１記載のウェーハ搬送システム。
【請求項４】
前記推進コイルは、前記第１の持上げ磁石レールの上方に設けられていることを特徴とする請求項３記載のウェーハ搬送システム。
【請求項５】
前記搬送シャトルは、前記ウェーハを実質的に水平の向きに支持することを特徴とする請求項１記載のウェーハ搬送システム。
【請求項６】
前記搬送シャトルは、前記ウェーハを実質的に垂直の向きに支持することを特徴とする請求項１記載のウェーハ搬送システム。